(57)【要約】【課題】含液マットを固定するキャップ体の紛失を防止できる美容器具を提供することにある。【解決手段】肌面に電流を供給する肌電極１と、肌電極１を支持する本体ケース２を備えている。含液マットＭを保持固定するためのマット挟持具４８が設けられている。マット挟持具４８は、肌電極１に近い部位に装着される装着リング４９と、綿マットＭを固定するリング状のキャップ体５０と、これら両者を繋ぐコード部５１を備えている。【選択図】図１５
2018110894.tif 000002
【特許請求の範囲】
【請求項１】
肌面に電流を供給する肌電極（１）と、肌電極（１）を支持する本体ケース（２）を備えており、
含液マット（Ｍ）を保持固定するためのマット挟持具（４８）が設けられており、
マット挟持具（４８）は、肌電極（１）に近い部位に装着される装着リング（４９）と、綿マット（Ｍ）を固定するリング状のキャップ体（５０）と、これら両者を繋ぐコード部（５１）を備えていることを特徴とする美容器具。
【発明の詳細な説明】
【技術分野】
【０００１】
本発明は、肌面に電流を供給できる美容器具に関する。
【背景技術】
【０００２】
この種の美容器具は、例えば特許文献１に公知である。そこでは、グリップ兼用の本体部の上部に着脱可能に設けられるヘッド部と、このヘッド部の前面に肌面に電流を供給可能な肌用電極とを備えた美容器具が開示されている。本体部は、前後の厚みに比べて左右幅が大きな断面形状に形成されており、本体部の左右両側にグリップ電極が配置されている。
【先行技術文献】
【特許文献】
【０００３】
【特許文献１】特開２０１２−２４９６５３号公報（段落番号００１７、段落番号００３０、図１、図２）
【発明の概要】
【発明が解決しようとする課題】
【０００４】
本発明の目的は、含液マットを固定するキャップ体の紛失を防止できる美容器具を提供することにある。
【課題を解決するための手段】
【０００５】
本発明に係る美容器具は、肌面に電流を供給する肌電極１と、肌電極１を支持する本体ケース２を備えている。含液マットＭを保持固定するためのマット挟持具４８が設けられている。マット挟持具４８は、肌電極１に近い部位に装着される装着リング４９と、綿マットＭを固定するリング状のキャップ体５０と、これら両者を繋ぐコード部５１を備えていることを特徴とする。
【発明の効果】
【０００６】
本発明においては、肌電極１に近い部位に装着される装着リング４９と、綿マットＭを固定するリング状のキャップ体５０と、これら両者を繋ぐコード部５１を備えていることにより、キャップ体５０の紛失を防止することができる。
【図面の簡単な説明】
【０００７】
【図１】参考例１に係る美容器具の側面図である。
【図２】参考例１に係る美容器具の正面図である。
【図３】参考例１に係る美容器具の背面図である。
【図４】図２におけるＡ−Ａ線断面図である。
【図５】参考例１に係る美容器具の電装品のブロック図である。
【図６】参考例１に係る美容器具の一部破断側面図である。
【図７】参考例１に係る美容器具を第２使用態様に切換えた状態の側面図である。
【図８】参考例１に係る美容器具を第２使用態様に切換えた状態の側面図である。
【図９】参考例２に係る美容器具の側面図である。
【図１０】参考例２に係る美容器具の正面図である。
【図１１】参考例２に係る美容器具の一部破断側面図である。
【図１２】参考例２に係る美容器具を第２使用態様に切換えた状態の正面図である。
【図１３】参考例２に係る美容器具を第２使用態様に切換えた状態の背面図である。
【図１４】本発明の実施例１に係る美容器具を第２使用態様に切換えた状態の背面図である。
【図１５】実施例１に係る美容器具を第１使用態様に切換えた状態の側面図である。
【図１６】実施例１に係る美容器具の正面図である。
【図１７】実施例１に係る美容器具の底面図である。
【図１８】本発明の実施例２に係る美容器具の側面図である。
【図１９】実施例２に係る美容器具の正面図である。
【図２０】実施例２に係る美容器具を第２使用態様に切換えた状態の側面図である。
【図２１】参考例３に係る美容器具を第２使用態様に切換えた状態の側面図である。
【図２２】参考例３に係る美容器具を第１使用態様、および第３使用態様に切換えた状態の側面図である。
【図２３】参考例４に係る美容器具を第２使用態様に切換えた状態の側面図である。
【図２４】参考例４に係る美容器具を第１使用態様、および第３使用態様に切換えた状態の側面図である。
【図２５】本発明の実施例１に係る美容器具の電装品のブロック図である。
【発明を実施するための形態】
【０００８】
（参考例１）  図１ないし図８、美容器具の参考例１を示す。参考例１における前後、左右、上下とは、図１および図２に示す交差矢印と、矢印の近傍に表記した前後、左右、上下の表示に従う。図１ないし図３において美容器具は、肌面に電流を供給する肌電極（肌刺激ヘッド）１と、肌電極１を支持する本体ケース２を備えており、肌電極１から微弱なパルス電流を供給して行うイオン導出モード、あるいはイオン導入モードで肌面に電流を供給する。肌電極１は、導電性に富む金属板材を四角容器状にプレス成形して形成してあり、肌面と接触する肌接触面１ａが斜め上方へ突出する状態で本体ケース２に固定してある。グリップを兼ねる本体ケース２は、ヘッド側ケース３と、ヘッド側ケース３に対してスライド変位可能に連結されたグリップ側ケース４とを備えている。ヘッド側ケース３は肌電極１を支持するヘッド支持ケース５と、肌電極１の外面に被せ付けた綿マット（シート材）Ｍを固定保持するシートホルダー６とで構成してある。
【０００９】
ヘッド支持ケース５は、側面から見て前突状の部分円弧面状に湾曲形成されており、その前面上部に四角形状の肌電極１が設けてある。ヘッド支持ケース５の内部には、２次電池８と、パルス電流を調整する制御回路（図示していない）と、充電電流を調整する充電回路（図示していない）などが実装された制御基板６０が設けてある。図３に示すように、ヘッド支持ケース５の後面上部には電源スイッチ９と、美容器具の運転モードをイオン導出モードとイオン導入モード切換えるモード切換スイッチ１０と、各運転モードにおけるパルス電流の強弱を表示する２個の表示部１１が設けてある。２個の表示部１１は、それぞれフルカラーＬＥＤを含んで構成されており、イオン導出モードの際は、緑色に点灯し、イオン導入モードの際は黄色に点灯する。
【００１０】
シートホルダー６は、ヘッド支持ケース５の前面の殆どを覆う主壁１４と、ヘッド支持ケース５の左右側面および上面を覆う周囲壁１５とを一体に備えており、ヘッド支持ケース５と同様に、側面から見て前突状の部分円弧面状に湾曲形成してある。主壁１４の上部には、肌電極１を露出させ、さらに同電極１に被せ付けた綿マット（含液マット）Ｍを押え保持するための四角形状の押え窓１６が開口してある。図４に示すように、周囲壁１５の左右の側壁の内外面には、逃げ凹部１７と、後述するグリップ側ケース４をスライド案内するガイド凹部１８が凹み形成してあり、両凹部１７・１８の間にガイド溝１９が形成してある。ガイド凹部１８およびガイド溝１９は、前突円弧状に湾曲形成してある。また、周囲壁１５の左右の側壁の対向面には、ヘッド支持ケース５の左右側面に設けた係合突起２０と係合する係合溝２１が形成してある。さらに、逃げ凹部１７の上端寄り、および下端寄りには、後述するスライド脚片３３の自由移動を規制する位置決め突起２２が形成してある（図１参照）。
【００１１】
ヘッド支持ケース５とシートホルダー６は、シートホルダー６の下部に固定したケース回動軸２５を介して相対傾動自在に連結されており、これによりシートホルダー６は、押え窓１６が肌電極１から分離する姿勢と、綿マットＭを押え保持する姿勢に前後傾動できる。また、ヘッド支持ケース５はケース回動軸２５の回りに後向きへ反転操作することができ（図６参照）、反転限界位置まで回動操作した状態のヘッド支持ケース５は、図８に示すように、グリップ側ケース４の後部外面に突出する姿勢（第３使用態様）に切換わる。ヘッド支持ケース５とシートホルダー６が前後に重なった状態（図１の状態）と、ヘッド支持ケース５が反転限界位置まで回動した状態において、ヘッド支持ケース５の自由な前後傾動を規制するために、図６に示すように、ケース回動軸２５の内部にクリック片２６と、圧縮コイルばねからなるクリックばね２７を設け、ヘッド支持ケース５の側に、クリック片２６と係合する２個のクリック凹部２８を設けている。
【００１２】
グリップ側ケース４は、シートホルダー６でスライド案内される左右一対のスライド枠３１と、スライド枠３１の下端同士を繋ぐ操作枠３２で、上下に長い逆門形に構成してある。図２に示すように、スライド枠３１の上端がガイド凹部１８の上端に接当した状態（第１使用態様）における操作枠３２は、ヘッド支持ケース５の下端と指掛け隙間Ｓを介して正対している。グリップ側ケース４は、ヘッド支持ケース５およびシートホルダー６と同様に、側面から見て前突円弧状に湾曲形成してある。スライド枠３１の上部の左右対向面には、前後一対のスライド脚片３３が一体に設けてあり、スライド脚片３３をガイド溝１９に係合し、さらにスライド枠３１をガイド凹部１８に嵌め込むことにより、グリップ側ケース４とシートホルダー６が相対スライド可能（相対変位可能）に連結してある。スライド枠３１の外面全体には金属メッキが施してあり、このメッキ層がグリップ電極３４として機能する。グリップ電極３４と制御基板６０は、制御基板６０から導出されたリード線６１と、ガイド溝１９の対向面に施した金属メッキ層６２（図４参照）を介して電気的に接続してある。制御基板６０から導出されたリード線６１は、ケース回動軸２５を介してヘッド支持ケース５の外へ導出されて、先の金属メッキ層６２に接続してある。このように、リード線６１の導出端をガイド溝１９に形成した金属メッキ層６２に接続すると、ヘッド支持ケース５の外におけるリード線６１の長さを小さくできる。また、グリップ側ケース４にリード線６１の導出端を接続した場合には、グリップ側ケース４の伸縮動作に同行してリード線６１を移動させる必要があるため、伸縮時にリード線６１が断線するおそれがあるが、こうした事態を避けて、信頼性の高い電流供給ラインを構成できる。また、ガイド溝１９に密着するスライド脚片３３に導電性の弾性片を固定して、弾性片を金属メッキ層６２に圧接させると、弾性片と金属メッキ層６２を常に密着させて、制御基板６０から出力された電流を常に安定した状態でグリップ電極３４に供給できる。
【００１３】
本体ケース２は、ヘッド側ケース３とグリップ側ケース４が左右に重なり合って上下方向の全長寸法が短い第１使用態様（図１に示す状態）と、両ケース３・４を伸張させて上下方向の全長寸法が長い第２使用態様（図７に示す状態）に切換え操作できる。つまり、グリップ側ケース４はヘッド側ケース３のシートホルダー６に対して部分円弧状のスライド軌跡に沿って伸縮スライドできる。また、第１使用態様において、ヘッド支持ケース５をケース回動軸２５の回りに後向きへ反転操作することにより、本体ケース２を第３使用態様に切換えることができる。
【００１４】
以上のように構成した美容器具は、本体ケース２を第１使用態様と、第２使用態様と、第３使用態様のいずれかひとつに切換えて美容処理を行う。
第１使用態様においては、クリック片２６がヘッド支持ケース５の上側のクリック凹部２８と係合して、ヘッド支持ケース５を傾動不能に位置保持している。この状態で美容処理を行う場合には、クリックばね２７の付勢力と、係合突起２０と係合溝２１の係合力に抗しながら、肌電極１およびヘッド支持ケース５を後向きに傾動操作し、図６に示すようにヘッド支持ケース５の肌電極１を押え窓１６から分離する。この状態で、肌電極１の外面を綿マットＭで覆い、ヘッド支持ケース５を再び第１使用態様に戻して、綿マットＭの周囲を押え窓１６と肌電極１の周面で挟持固定し、綿マットＭを肌接触面１ａに密着させる。ヘッド支持ケース５を第１使用態様に戻した状態では、クリック片２６とクリック凹部２８が再係合し、さらに係合突起２０と係合溝２１が再係合するので、ヘッド支持ケース５がシートホルダー６から分離することはない。
【００１５】
次に、化粧水や乳液などの美容用液を綿マットＭに含浸させて、電源スイッチ９をオン操作し、さらにモード切換スイッチ１０をオン操作して、イオン導出モードとイオン導入モードのいずれかを選択する。モード切換スイッチ１０を１回だけオン操作すると、イオン導出モードが選択され、肌面に供給されるパルス電流の電流値は小さくなり、パルス電流が弱であることを表示する一方の表示部１１が緑色に点灯する。また、モード切換スイッチ１０を２回オン操作すると、イオン導出モードが選択され、肌面に供給されるパルス電流の電流値が大きくなり、パルス電流が強であることを表示する他方の表示部１１が緑色に点灯する。イオン導出モードにおいては、グリップ電極３４を片手で握った状態で、美容用液が含浸された綿マットＭを顔肌や、首周りなどの肌面に沿って擦ることにより、肌面の毛穴や皺などに入り込んでいる微細な汚れや老廃物を落とすことができる。イオン導出モードにおいて各電極１・３４に供給されるパルス電流の極性は、肌電極１がプラス極性であり、グリップ電極３４はマイナス極性である。
【００１６】
モード切換スイッチ１０を３回オン操作すると、イオン導入モードが選択され、肌面に供給されるパルス電流の電流値は小さくなり、パルス電流が弱であることを表示する一方の表示部１１が黄色に点灯する。同様に、モード切換スイッチ１０を４回オン操作すると、イオン導入モードが選択され、肌面に供給されるパルス電流の電流値が大きくなり、パルス電流が強であることを表示する他方の表示部１１が黄色に点灯する。イオン導入モードにおいては、グリップ電極３４を片手で握った状態で、美容用液が含浸された綿マットＭを顔肌や、首周りなどの肌面に沿って擦ることにより、美容用液に含まれる保湿成分などを肌に浸透させて美容効果を高めることができる。イオン導入モードにおいて各電極１・３４に供給されるパルス電流の極性は、肌電極１がマイナス極性であり、グリップ電極３４はプラス極性である。
【００１７】
本体ケース２を第２使用態様にして美容処理を行う場合には、第１使用態様の場合と同様にして綿マットＭを肌電極１に装着したのち、例えば左手でヘッド支持ケース５とシートホルダー６を掴んだ状態で、右手でグリップ側ケース４を引出して、本体ケース２を第２使用態様にする。このとき、ヘッド支持ケース５の下端と操作枠３２の間の指掛け隙間Ｓに指先を差入れて操作枠３２にあてがい、グリップ側ケース４を引出し操作することにより、グリップ側ケース４を簡便にしかも確実に第２使用態様にスライド操作できる。また、グリップ側ケース４を引出す過程では、スライド枠３１に設けたスライド脚片３３が下側の位置決め突起２２を乗越えて移動し、引出し限界位置においてスライド脚片３３の上端が位置決め突起２２で受止められるので、グリップ側ケース４が第１使用態様の側へスライド移動するのを規制できる。この状態で、美容用液を綿マットＭに含浸させ、電源スイッチ９とモード切換スイッチ１０をオン操作して、美容器具の運転モードを選定し、さらにパルス電流の強弱を選定して、第１使用態様の場合と同様にして美容処理を行う。美容器具は、ヘッド側ケース３とグリップ側ケース４を、スライドストロークの範囲内の任意のスライド位置に伸長した状態にして使用できるので、美容処理を施す肌面の部位に応じて、本体ケース２の全長寸法を微妙に調整できる。さらに、任意のスライド位置まで伸長した状態の前記両ケース３・４を安定した状態で支持できるので、折畳み自在な従来の美容器具に比べて、美容処理を的確に行える。また、位置決め突起２２をスライドストロークの中途部の複数個所に設けておくことにより、所定のスライド位置まで伸長した状態の前記両ケース３・４を安定した状態で固定支持することができる。
【００１８】
本体ケース２を第２使用態様に切換えた状態の美容器具は、図７に示すように、グリップ側ケース４がヘッド側ケース３から大きく突出しており、前者ケース４の下端と後者ケース３の上端の間の直線距離は２３ｃｍ前後になる。そのため、背中側の肌面や、胸および腹周りの肌面などの、手が届きにくい肌面であっても、綿マットＭを使用者の意図通りにあてがって美容処理を行うことができる。第２使用態様においては、スライド枠３１の上部がシートホルダー６の周囲壁１５の下部の左右側面に隣接し、グリップ電極３４の上部がシートホルダー６の側面に重なっている。この重なり部分を図７に符号Ｗで示している。そのため、シートホルダー６の下部側を片手で握った場合でも、親指あるいはその付根と他の指先をグリップ電極３４に確実に接触させて、イオン導出モードやイオン導入モードによる美容処理を確実に行うことができる。
【００１９】
本体ケース２を第３使用態様にして美容処理を行う場合には、図８に示すように、ケース回動軸２５を中心にして、ヘッド支持ケース５を後向きに傾動させる。この状態で、美容用液を肌面に塗付し、電源スイッチ９とモード切換スイッチ１０をオン操作して、美容器具の運転モードを選定し、さらにパルス電流の強弱を選定したのち、肌電極１の肌接触面１ａを肌面に沿って滑らせて美容処理を行う。
【００２０】
本体ケース２を第３使用態様に切換えた状態の美容器具は、ヘッド支持ケース５とグリップ側ケース４が、側面視においてく字状に屈折しており、クリック片２６はヘッド支持ケース５の下側のクリック凹部２８と係合している。また、ヘッド支持ケース５の後面下部がグリップ側ケース４の操作枠３２で受止められ、ヘッド支持ケース５の下端面がシートホルダー６の下端で受止められて、ヘッド支持ケース５を相対傾動不能に固定保持している。
【００２１】
第３使用態様においては、第１使用態様や第２使用態様の場合とは異なり、操作枠３２が上になる状態でグリップ側ケース４を掴んで、肌電極１が下向きに突出する状態で使用する。この使用態様によれば、ヘッド支持ケース５が下向きに屈折した状態になるので、肩周りや肩甲骨の近傍などの手が届きにくい肌面に肌電極１をあてがう場合であっても、グリップ側ケース４を掴んだ腕を楽な姿勢にした状態のままで美容処理を行うことができる。また、第３使用態様においては、グリップ側ケース４をシートホルダー６から抜出すことにより、操作枠３２で受止められるヘッド支持ケース５の後面の位置を変化させて、ヘッド支持ケース５の反転角度を多様に調整できるので、美容器具による美容処理を多様化できる利点もある。このように、ヘッド支持ケース５の反転角度を多様に調整するために、クリック片２６とクリック凹部２８を所定の角度ごとに複数組設けておくことができる。各使用態様においては、第１使用態様が最もコンパクトな状態になるので、第２使用態様あるいは第３使用態様で美容処理を行ったのちは、本体ケース２を収納に適したコンパクトな姿勢（第１使用態様）に戻して収納することが好ましい。
【００２２】
以上のように、参考例１の美容器具では、本体ケース２を第１から第３の使用態様のいずれかひとつに切換えて美容処理を行うが、いずれの使用態様においても肌電極１が本体ケース２の外面に露出しているので、従来の美容器具に比べて使い勝手に優れた美容器具を提供できる。また、使用時における美容器具の姿勢を、美容処理を施す肌面の部位に適合して第１から第３の使用態様に切換えることができるので、手が届きにくい肌面であっても、肌電極１を所望位置にあてがって美容処理を好適に行える。
【００２３】
（参考例２）  図９ないし図１３は、美容器具の参考例２を示す。参考例２においては、参考例１の美容器具と同様に、本体ケース２をヘッド側ケース３とグリップ側ケース４で構成し、さらにヘッド側ケース３をヘッド支持ケース５とシートホルダー６で構成するようにした。しかし、グリップ側ケース４およびヘッド支持ケース５を、側面から見て垂直のケースとして構成し、シートホルダー６を側面から見て垂直のホルダーとして構成する点が参考例１の美容器具と異なる。正面視におけるシートホルダー６の外郭形状と、グリップ側ケース４の外郭形状は同じとした。シートホルダー６は、図９に示すように主壁１４の内面がヘッド支持ケース５の前面に接当した状態から、前方へ９０度以上相対傾動できる。グリップ側ケース４は前ケース４ａと後ケース４ｂで中空ケースとして構成し、その内部に２次電池８と、パルス電流を調整する制御回路と充電電流を調整する充電回路（いずれも図示していない）などを設けるようにした。また、グリップ側ケース４の前面に電源スイッチ９と、モード切換スイッチ１０と、パルス電流の強弱を表示する２個の表示部１１を設けるようにした。
【００２４】
参考例１では、グリップ側ケース４とシートホルダー６の間にスライド構造を設けるようにしたが、この参考例ではグリップ側ケース４とヘッド支持ケース５の間にスライド構造を設けるようにした。図１３に示すように、スライド構造はヘッド支持ケース５の後面に設けた左右一対のガイド溝１９と、グリップ側ケース４の前ケース４ａと一体に設けたスライド脚片３３で構成してある。係合突起２０はシートホルダー６の周囲壁１５の内面に設け、係合溝２１はヘッド支持ケース５の左右壁に設けるようにした。グリップ側ケース４の前ケース４ａの周面と、同ケース４ａの前面の周縁に金属メッキを施して、グリップ電極３４を形成した。図１２に示すように、グリップ電極３４は、リード線６１を介して電気的に接続してある。また、肌電極１と制御基板６０は、スライド脚片３３と制御基板６０を接続するリード線６３と、ガイド溝１９の図示していないメッキ層６２と肌電極１を接続するリード線６４を介して電気的に接続してある。
【００２５】
なお、肌電極１と制御基板６０が、制御基板６０から導出したリード線で直接的に接続してある場合には、グリップ側ケース４の伸縮動作に同行してリード線を移動させる必要があるため、伸縮時にリード線が断線するおそれがある。しかし、上記のように肌電極１と制御基板６０を、リード線６３とメッキ層６２とリード線６４を介して電気的に接続すると、各リード線６３・６４が断線するのを避けて、信頼性の高い電流供給ラインを構成できる。また、ガイド溝１９に密着するスライド脚片３３に導電性の弾性片を固定して、弾性片を金属メッキ層６２に圧接させると、弾性片と金属メッキ層６２を常に密着させて、制御基板６０から出力された電流を常に安定した状態でグリップ電極３４に供給できる。他は参考例１の美容器具と同じであるので、同じ部材に同じ符号を付してその説明を省略する。以下の参考例および本発明の実施例１、２においても同じとする。なお、位置決め突起２２をガイド溝１９の中途部の複数個所に設けておくことにより、スライド脚片３３のスライド移動を規制して、所定のスライド位置まで伸長した状態の前記両ケース３・４を安定した状態で固定支持することができる。
【００２６】
参考例２の美容器具は、本体ケース２を第１使用態様と、第２使用態様のいずれかに切換えて美容処理を行う。第１使用態様において美容処理を行う場合には、図１１に示すようにシートホルダー６を前方傾動させて、肌電極１を押え窓１６から分離し、その外面を綿マットＭで覆ったのち、シートホルダー６を復帰傾動して綿マットＭの周囲を押え窓１６と肌電極１の周面で挟持固定する。次に、化粧水や乳液などの美容用液を綿マットＭに含浸させ、本体ケース２を図１２に示すように一旦第２使用態様にして、電源スイッチ９とモード切換スイッチ１０をオン操作する。美容器具の運転モードとパルス電流の強弱を選定し終えたら、本体ケース２を第１使用態様に戻して、参考例１の美容器具と同様にして美容処理を行う。このとき、肌電極１より下側のグリップ側ケース４とシートホルダー６を片手で掴むことにより、指や掌がグリップ電極３４と接触するので、肌電極１とグリップ電極３４が人体を介して導通して肌面に電流を供給できる。第１使用態様においては、電源スイッチ９やモード切換スイッチ１０がヘッド支持ケース５で覆われるので、美容器具を使用するとき、各スイッチ９・１０が誤って操作されるのを確実に防止できる。
【００２７】
第２使用態様において美容処理を行う場合には、上記と同様にして綿マットＭを肌電極１に装着したのち、本体ケース２を第２使用態様に切換えて、電源スイッチ９とモード切換スイッチ１０をオン操作し、美容器具の運転モードとパルス電流の強弱を選定する。この状態で、綿マットＭを肌面にあてがってゆっくりと擦ることにより、選定した運転モードで美容処理を行うことができる。図１１に示すように、第２使用態様においては、グリップ側ケース４の上部とヘッド支持ケース５の下部が前後に隣接して、グリップ電極３４の上部と、ヘッド支持ケース５およびシートホルダー６下部が符号Ｗの分だけ重なっている。そのため、ヘッド支持ケース５およびシートホルダー６の下部側を片手で握った場合でも、親指あるいはその付根と他の指先をグリップ電極３４に確実に接触させて、イオン導出モードやイオン導入モードによる美容処理を確実に行うことができる。また、シートホルダー６をグリップ側ケース４と共に握り保持することにより、美容処理の途中にシートホルダー６が前方傾動するのを防止できる。
【００２８】
（実施例１）  図１４ないし図１７および図２５は、本発明に係る美容器具の実施例１を示す。実施例１における前後、左右、上下とは、図１４および図１６に示す交差矢印と、矢印の近傍に表記した前後、左右、上下の表示に従う。図１４ないし図１７において美容器具は、肌面に電流を供給する肌電極（肌刺激ヘッド）１と、肌電極１を支持する本体ケース２を備えており、肌電極１から微弱なパルス電流を供給して行うイオン導出モード、あるいはイオン導入モードで肌面に電流を供給する。肌電極１は、導電性に富む金属板材を円形容器状にプレス成形して形成してあり、肌面と接触する肌接触面１ａが斜め上方へ突出する状態で本体ケース２に固定してある。グリップを兼ねる本体ケース２は、ヘッド側ケース３とグリップ側ケース４で構成されている。後述するように、グリップ側ケース４はヘッド側ケース３に対してスライド変位可能に連結されている。ヘッド側ケース３は側面視において烏帽子状に形成してあり、円盤状の肌電極１を支持する上側のヘッド部分３７と、ヘッド部分３７より下側のグリップ部分３８を一体に備えている。肌電極１はヘッド部分３７の前面に突設したヘッドボス４５に固定してある。正面視における本体ケース２はしゃもじ状に形成してあり、ヘッド部分３７はタマネギ状に形成されて、その左右幅がグリップ部分３８へ向かって徐々に小さくなっている。ヘッド側ケース３の前面は、透明の化粧板３９で覆われている。グリップ部分３８には、グリップ側ケース４を収納するための収納室４０が、下面および後面が開口する状態で設けてある。
【００２９】
グリップ側ケース４は左右幅が小さな中空ケースからなり、その内部に２次電池８と、パルス電流を調整する制御回路と充電電流を調整する充電回路などが実装された制御基板６０が設けてある。グリップ側ケース４の後面は内凹み状（前突状）の湾曲面で形成されており、この湾曲面に沿ってグリップ電極３４を設け、同電極３４の下側に電源スイッチ９とモード切換スイッチ１０が設けてある。また、グリップ側ケース４の前面には、２個の表示部１１が設けてある。２個の表示部１１は、それぞれフルカラーＬＥＤを含んで構成されており、イオン導出モードの際は、緑色に点灯し、イオン導入モードの際は黄色に点灯する。電源スイッチ９の下方には、指掛リブ４１が膨出形成してある。図１４に示すように、グリップ電極３４は、リード線６１を介して制御基板６０と電気的に接続してある。また、肌電極１と制御基板６０は、導電性のあるスライド脚片３３と制御基板６０を接続するリード線６３と、導電性のあるガイド溝１９と肌電極１を接続するリード線６４を介して電気的に接続してある。なお、肌電極１と制御基板６０が、制御基板６０から導出したリード線で直接的に接続してある場合には、グリップ側ケース４の伸縮動作に同行してリード線を移動させる必要があるため、伸縮時にリード線が断線するおそれがある。しかし、上記のように肌電極１と制御基板６０を、リード線６３、スライド脚片３３、ガイド溝１９、リード線６４を介して電気的に接続すると、各リード線６３・６４が断線するのを避けて、信頼性の高い電流供給ラインを構成できる。また、ガイド溝１９に密着するスライド脚片３３に導電性の弾性片を固定して、弾性片をガイド溝１９に圧接させると、弾性片と導電性のあるガイド溝１９を常に密着させて、制御基板６０から出力された電流を常に安定した状態で肌電極１に供給できる。なお、スライド脚片３３は、導電性を有していれば、プラスチック材に金属メッキを施して構成する、あるいは、スライド脚片３３全体を直方体状の金属製片で構成することができる。本実施例では後者を採用している。また、ガイド溝１９についても、導電性を有していれば、プラスチック材で構成される溝に金属メッキ６２を施して構成する、あるいは、ガイド溝１９自体を断面コ字状の長軸の金属レールで構成することができる。本実施例では前者を採用している。図２５は、本発明の美容器具に係る電装品のブロック図である。
【００３０】
本実施例では、グリップ側ケース４を収納室４０に出し入れするために、収納室４０の内面とグリップ側ケース４の間にスライド構造を設けるようにした。詳しくは、図１４に示すように、収納室４０の内面の左右に広幅のガイド溝１９と狭幅のリブガイド４２を設け、グリップ側ケース４の左右側面にガイド溝１９に対応するスライド脚片３３と、リブガイド４２に対応するスライドリブ４３を設けてスライド構造とした。ガイド溝１９およびリブガイド４２と、スライド脚片３３およびスライドリブ４３は、それぞれ前突円弧状に湾曲形成してある。
【００３１】
図１５に示すように、グリップ側ケース４を収納室４０に収納すると、本体ケース２を全長が小さな第１使用態様にすることができ、図１４に示すように、グリップ側ケース４を収納室４０から抜出すと、本体ケース２を全長が大きな第２使用態様にすることができる。第２使用態様においては、スライド脚片３３の下面の段部がガイド溝１９の下端に接当して、グリップ側ケース４がヘッド側ケース３から抜け出るのを規制している。表示部１１と正対するヘッド側ケース３の前壁には表示窓４４が開口してあり、従って、第１使用態様においては透明の化粧板３９を介して表示部１１を視認することができる。各使用態様において、グリップ側ケース４の不用意なスライド移動を規制するために、グリップ側ケース４の左右側面の上下に係合突起２０を設け、収納室４０の左右内面の上下に係合溝２１を設けている。
【００３２】
肌電極１に被付けた綿マット（含液マット）Ｍを保持固定するために、図１５に示すようにヘッドボス４５にマット挟持具４８を設けている。マット挟持具４８は、ヘッドボス４５に掛止装着される装着リング４９と、肌電極１と協同して綿マットＭを挟持固定するリング状のキャップ体５０と、これら両者を繋ぐコード部５１を一体に備えている。装着リング４９がヘッドボス４５に掛止装着してあるので、肌電極１からキャップ体５０が外れても落下することはない。また、肌電極１から外した状態のまま保管することができる。したがってキャップ体５０の紛失を防止できる。装着リング４９は、本実施例では、円環形状であるが、すべての円弧が繋がった環状体である必要はなく、部分円弧、つまり円弧の一部が切り欠かれた態様を含むものである。キャップ体５０も同様に、本実施例では、円環形状であるが、すべての円弧が繋がった環状体である必要はなく、部分円弧、つまり円弧の一部が切り欠かれた態様を含むものである。装着リング４９は、ヘッドボス４５に装着する構成に限定されず、本体ケース２の上側のヘッド部分３７に装着される構成であってもよい。要するに肌電極１に近く、同電極１を支持する部位に装着リング４９を設ければよい。キャップ体５０は、肌電極１と協同して綿マットＭを固定しているが、このときキャップ体５０は、綿マットＭからの反力により自身が固定保持されている。よりキャップ体５０の抜け外れを防止するため、肌電極１を支持するヘッドボス４５に設けられる張出部４５ａにキャップ体５０の一部（例えば内向きに突出する突起）を係合させる構成を採用できる。
【００３３】
本実施例の美容器具は、本体ケース２を第１使用態様と、第２使用態様のいずれかに切換えて美容処理を行う。第１使用態様において美容処理を行う場合には、図１５に示すように、グリップ側ケース４を収納室４０に収納し、肌電極１に装着した綿マットＭをキャップ体５０で固定し、綿マットＭを肌接触面１ａに密着させる。
【００３４】
次に、化粧水や乳液などの美容用液を綿マットＭに含浸させて、電源スイッチ９をオン操作し、さらにモード切換スイッチ１０をオン操作して、イオン導出モードとイオン導入モードのいずれかを選択する。モード切換スイッチ１０を１回だけオン操作すると、イオン導出モードが選択され、肌面に供給されるパルス電流の電流値は小さくなり、パルス電流が弱であることを表示する一方の表示部１１が緑色に点灯する。また、モード切換スイッチ１０を２回オン操作すると、イオン導出モードが選択され、肌面に供給されるパルス電流の電流値が大きくなり、パルス電流が強であることを表示する他方の表示部１１が緑色に点灯する。イオン導出モードにおいては、グリップ電極３４を片手で握った状態で、美容用液が含浸された綿マットＭを顔肌や、首周りなどの肌面に沿って擦ることにより、肌面の毛穴や皺などに入り込んでいる微細な汚れや老廃物を落とすことができる。イオン導出モードにおいて各電極１・３４に供給されるパルス電流の極性は、肌電極１がプラス極性であり、グリップ電極３４はマイナス極性である。
【００３５】
モード切換スイッチ１０を３回オン操作すると、イオン導入モードが選択され、肌面に供給されるパルス電流の電流値は小さくなり、パルス電流が弱であることを表示する一方の表示部１１が黄色に点灯する。同様に、モード切換スイッチ１０を４回オン操作すると、イオン導入モードが選択され、肌面に供給されるパルス電流の電流値が大きくなり、パルス電流が強であることを表示する他方の表示部１１が黄色に点灯する。イオン導入モードにおいては、グリップ電極３４を片手で握った状態で、美容用液が含浸された綿マットＭを顔肌や、首周りなどの肌面に沿って擦ることにより、美容用液に含まれる保湿成分などを肌に浸透させて美容効果を高めることができる。イオン導入モードにおいて各電極１・３４に供給されるパルス電流の極性は、肌電極１がマイナス極性であり、グリップ電極３４はプラス極性である。
【００３６】
上記したような美容処理の際、本体ケース２を掴んだ状態では、グリップ側ケース４の後面が内凹み状の湾曲面になっているので、美容器具が滑り落ちるのをよく防止できる。また、湾曲面に沿って設けたグリップ電極３４も内凹み状の湾曲面になっており、指や掌を強く押付けることができるので、グリップ電極３４と人体の間の電気的な接触抵抗を小さくすることができる。
【００３７】
第２使用態様で美容処理を行う場合には、指掛リブ４１に指先をあてがってグリップ側ケース４を収納室４０から抜出して、本体ケース２の全長寸法を大きくする。以後は、第１使用態様と同様にして綿マットＭを肌電極１に装着し、美容用液を綿マットＭに含浸させる。さらに、電源スイッチ９とモード切換スイッチ１０をオン操作して、美容器具の運転モードとパルス電流の強弱を選定し、綿マットＭを肌面に沿って擦ることにより美容処理を行う。第１使用態様、および第２使用態様のいずれの場合にも表示部１１を視認できるので、ユーザーは美容器具を使用するときの運転モードを明確に知ることができ、使い勝手を向上できる。
【００３８】
本実施例の美容器具においては、各部の寸法を以下のように設定した。図１５ないし図１７に示すように、本体ケース２のグリップ部分３８の前後寸法Ｄ１（Ｄ１ａ、Ｄ１ｂ）をグリップ部分３８の左右寸法Ｂ２より大きく設定した。なお、本体ケース２のグリップ部分３８の下端部分の前後寸法は寸法Ｄ１ａであるが、グリップ部分３８の中途部分の前後寸法は、寸法Ｄ１ａよりも小さいＤ１ｂとなっている。いずれにしてもグリップ部分３８の前後寸法Ｄ１をグリップ部分３８の左右寸法Ｂ２より大きく設定している。このように（Ｄ１＞Ｂ２）とすると、本体ケース２を把持した際、手のひらに当接する面積が狭くなり、手のひらに当接した状態で本体ケースを左右揺動しやすい。したがって美容器具の操作性を向上することができる。また、握り方を掴み持ちとする場合に、グリップ部分３８の周囲を親指と、他の４指と、掌で包み込むようにして掴み持つことになるので、美容器具を確りと握って美容処理を的確に行うことができる。
【００３９】
図１６に示すように、正面視における肌電極１の左右寸法Ｂ１を、本体ケース２のグリップ部分３８の左右寸法Ｂ２より大きく設定した。このように（Ｂ１＞Ｂ２）とすることにより、正面視における本体ケース２の外観をスリムな印象にしながら、左右幅が大きな肌電極１で肌面の美容処理を効果的に行って、美容処理に要する時間を短縮できる。なお、グリップ部分３８の上部において、左右寸法Ｂ２が肌電極１の左右寸法Ｂ１より大きくなるが、使用時にはグリップ部分３８の上下中央部分を握ることが多いので、上下中央部分を含む大半の部分が（Ｂ１＞Ｂ２）を満たしていると、本体ケース２を把持した際、手のひらに当接する面積が狭くなり、手のひらに当接した状態で本体ケースを左右揺動しやすいので、問題なく美容器具の操作性を向上することができる。また、グリップ部分３８の周囲を親指と、他の４指と、掌で包み込むようにして掴み持つことができるので、美容器具を問題なく確りと握ることができる。
【００４０】
ヘッド側ケース３（本体ケース２）のヘッド部分３７の左右寸法Ｂ３を、ヘッド部分３７の前後寸法Ｄ２（図１５参照）より大きく設定し、グリップ側ケース４（本体ケース２）のグリップ部分３８の前後寸法Ｄ３を、グリップ部分３８の左右寸法Ｂ４より大きく設定した。また、ヘッド側ケース３（本体ケース２）のグリップ部分３８の前後寸法Ｄ１を、グリップ部分３８の左右寸法Ｂ２より大きく設定した。また、ヘッド部分３７の左右寸法Ｂ３を、グリップ部分３８の左右寸法Ｂ２より大きく設定した。以上のように、（Ｂ３＞Ｄ２）（Ｂ３＞Ｂ２）（Ｄ１＞Ｂ２）とすると、正面視における本体ケース２の外郭線の幅を、グリップ部分３８の下方からヘッド部分３７にわたって徐々に大きくできるので、片手でヘッド側ケース３のグリップ部分３８を握った状態において、本体ケース２が滑り落ちるのを確実に防止できる。とくに、本体ケース２を第１使用態様にし、片手でヘッド側ケース３のグリップ部分３８を握った状態で使用するとき、本体ケース２が滑り落ちるのを確実に防止できる。また、（Ｄ３＞Ｂ４）を満たすことにより、本体ケース２を第２使用態様にし、片手でグリップ側ケース４のグリップ部分３８ａを握った状態において本体ケース２が滑り落ちるのを確実に防止できる。
【００４１】
正面視における肌電極１の左右寸法Ｂ１を、ヘッド側ケース３の左右寸法Ｂ３より小さく設定した。このように（Ｂ１＜Ｂ３）とすると、肌電極１をヘッド部分３７の外郭線内に位置させることができる。従って、美容器具を取落した場合等に、肌電極１が落下衝撃を受けて変形するのをヘッド側ケース３（本体ケース２）で保護することができる。なお、本実施例においても、参考例２と同様に係合溝２１を複数個所に設けておくことにより、スライド脚片３３のスライド移動を規制して、所定のスライド位置まで伸長した状態の前記両ケース３・４を安定した状態で固定支持することができる。
【００４２】
（実施例２）  図１８ないし図２０は、本発明に係る美容器具の実施例２を示す。そこでは、本体ケース２をヘッド側ケース３とグリップ側ケース４で構成した。ヘッド側ケース３は、上端が前下がり傾斜するヘッド部分３７と、上下に長いグリップ部分３８を一体に備えた中空ケースからなり、その内部に２次電池と、パルス電流を調整する制御回路と充電電流を調整する充電回路（いずれも図示していない）などが設けてある。ヘッド側ケース３の前面には、縦長のスイッチパネル５４が設けてあり、その上部寄りに電源スイッチ９と、モード切換スイッチ１０と、２個の表示部１１が設けてある。図１９に示すように、肌電極１は横長四角形状に形成してあり、その後面に設けた連結ボス５５を、ヘッド部分３７に設けた電極回動軸５６で軸支することにより、上下回動可能にヘッド側ケース３（本体ケース２）に連結してある。符号５７は電極回動軸５６を支持するヘッド側ケース３に設けたブラケットである。
【００４３】
グリップ側ケース４は横断面がＣ字状の中空ケースからなり、その前面にスイッチパネル５４を露出させるための開口５８が形成してある。グリップ側ケース４の外周面には金属メッキを施して、このメッキ部分がグリップ電極３４として機能するようにした。図１８に示すように、ヘッド側ケース３のグリップ部分３８をグリップ側ケース４の内部に収納すると、本体ケース２を全長が小さな第１使用態様にすることができ、図２０に示すように、グリップ側ケース４をグリップ部分３８から抜出すと、本体ケース２を全長が大きな第２使用態様にすることができる。各使用態様において、グリップ側ケース４のスライド移動を規制するために、グリップ側ケース４の左右側面の上下に係合溝２１を設け、グリップ部分３８の左右側面の下部に係合突起２０を設けている。第１使用態様と第２使用態様の間で本体ケース２を伸縮スライドするとき、グリップ側ケース４の内面壁と開口５８の左右縁がヘッド側ケース３でスライド案内されている。
【００４４】
以上のように構成した実施例２の美容器具によれば、本体ケース２を第１使用態様と第２使用態様に切換えて美容処理を行うことができる。各仕様態様においては、図１８に示すように肌電極１の下縁がヘッド部分３７の前部に接当する下方限界位置と、図２０に示すように肌電極１の肌接触面１ａが本体ケース２の中心軸線と直交する上方限界位置と、肌電極１の上縁がヘッド部分３７の後隅部に接当する後方限界位置の間で、肌電極１を電極回動軸５６の周りに回動変位することができる。第１使用態様と第２使用態様においては、実施例１において説明したように、綿マットＭを肌電極１に装着し、美容用液を綿マットＭに含浸させる。さらに、電源スイッチ９とモード切換スイッチ１０をオン操作して、美容器具の運転モードとパルス電流の強弱を選定し、綿マットＭを肌面に沿って擦ることにより美容処理を行う。例えば、連結ボス５５とブラケット５７の間の複数個所に節度構造を設けておくことにより、肌電極１を下方限界位置と、上方限界位置と、後方限界位置において位置保持できる。
【００４５】
例えば顔肌の美容処理を行う場合には、図１８に示すように肌電極１を下方限界位置に傾動させ、肌接触面１ａの下縁がヘッド部分３７の前面から寸法ｄだけ突出する状態にして、綿マットＭを顔肌に沿って擦る。このとき、ヘッド側ケース３のヘッド部分３７を綿マットＭと接触する肌面から先の寸法ｄだけ遠ざけることができるので、グリップ部分３８を握る手が顔肌にあたりにくくなり、美容処理を的確に行うことができる。また、肌電極１に加わる押圧反力は、ヘッド部分３７の前下がり傾斜面で受止められるので、肌電極１がぐら付くのを防止しながら美容処理をさらに的確に行うことができる。また、あごの下面の美容処理を行う場合には、図２０に示すように肌電極１を上方限界位置に傾動させて、綿マットＭを肌面に沿って擦る。このとき、あごの下面から顔肌に至る間の肌面の変化に追随して肌電極１を傾動できるので、あごの周りの美容処理を軽快にしかも確実に行うことができる。また、肌電極１の下部をヘッド部分３７で受止めて、肌電極１の下方限界位置を規定するので、肌電極１に加わる押圧反力をヘッド部分３７で受止めて、肌電極１がぐら付くのを防止しながら美容処理をさらに的確に行うことができる。
【００４６】
本実施例に係る美容器具においては、各部の寸法を以下のように設定した。図１８および図１９に示すように、ヘッド側ケース３のヘッド部分３７の前後寸法Ｄ２を、ヘッド側ケース３のヘッド部分３７の左右寸法Ｂ５より大きく設定した。このように（Ｄ２＞Ｂ５）とすることにより、正面視における本体ケース２の外観の印象をすっきりさせながら、第１使用態様にした本体ケース２を片手で確りと掴み保持して、美容処理を的確に行うことができる。ヘッド部分３７の前後寸法Ｄ２と、本体ケース２のグリップ部分３８の前後寸法Ｄ１は同じである。また、ヘッド部分３７の左右寸法Ｂ５と、グリップ部分３８の左右寸法Ｂ２は同じである。
【００４７】
ヘッド側ケース３のグリップ部分３８の前後寸法Ｄ３を、ヘッド側ケース３のグリップ部分３８の左右寸法Ｂ４より大きく設定した。このように（Ｄ３＞Ｂ４）とすることにより、本体ケース２のグリップ部分３８を片手で保持した場合に、グリップ部分３８の周囲を親指と、他の４指と、掌で包み込むようにして確りと掴み持つことができる。とくに、美容器具を第２使用態様にした状態において、ヘッド側ケース３とグリップ側ケース４の全長にわたって確りと掴み持つことができる。従って、美容器具を確りと握って美容処理を的確に行うことができる。また、グリップ部分３８の前後寸法Ｄ１を、グリップ部分３８の左右寸法Ｂ２より大きく設定した。このように（Ｄ１＞Ｂ２）とすることにより、グリップ部分３８を包み込むようにして、確りと掴むことができる。
【００４８】
正面視における肌電極１の左右寸法Ｂ１を、一対のブラケット５７の左右寸法Ｂ６より大きく設定した。このように（Ｂ１＞Ｂ６）とすることにより、ブラケット５７の前面を広幅の肌電極１で覆い隠して、正面視における本体ケース２の外観の印象をすっきりさせることができる。また、肌電極１の左右寸法Ｂ１が、ヘッド部分３７の左右寸法Ｂ５より充分に大きく設定してあるので、左右幅が大きな肌電極１で肌面の美容処理を効果的に行って、美容処理に要する時間を短縮できる。本実施例に係る美容器具のヘッド側ケース３とグリップ側ケース４は、実施例１のヘッド側ケース３とグリップ側ケース４と同様に、前突の部分円弧面状に湾曲形成してあってもよい。なお、実施例１の美容器具と同じ符号については、同じ内容またはそれに近い内容であるので説明を一部省略している。
【００４９】
上記実施例に係る美容器具は、以下の態様で実施することができる。
肌面に電流を供給する肌電極１と、肌電極１を支持する本体ケース２を備えており、
本体ケース２のグリップ部分３８の前後寸法Ｄ１が、グリップ部分３８の左右寸法Ｂ２より大きく設定してあることを特徴とする美容器具。
本体ケース２に肌電極１を備えているので、肌面に電流を供給できる。本体ケース２のグリップ部分３８の前後寸法Ｄ１が、グリップ部分３８の左右寸法Ｂ２より大きく設定してあると、本体ケース２を把持した際、手のひらに当接する面積が狭くなり、手のひらに当接した状態で本体ケースを左右揺動しやすい。したがって美容器具の操作性を向上することができる。
【００５０】
上記構成において、
肌電極１の左右寸法Ｂ１が、本体ケース２のグリップ部分３８の左右寸法Ｂ２より大きく設定してあることを特徴とする美容器具。
肌電極１の左右寸法Ｂ１が、本体ケース２のグリップ部分３８の左右寸法Ｂ２より大きく設定してあると、正面視における本体ケース２の外観をスリムな印象にしながら、左右幅が大きな肌電極１で肌面の美容処理を効果的に行って、美容処理に要する時間を短縮できる。
【００５１】
上記構成において、
本体ケース２のヘッド部分３７の左右寸法Ｂ３が、ヘッド部分３７の前後寸法Ｄ２より大きく設定されており、
本体ケース２のグリップ部分３８の前後寸法Ｄ１が、グリップ部分３８の左右寸法Ｂ２より大きく設定してあることを特徴とする美容器具。
本体ケース２のヘッド部分３７の左右寸法Ｂ３を、ヘッド部分３７の前後寸法Ｄ２より大きく設定し、グリップ側ケース４のグリップ部分３８の前後寸法Ｄ１を、グリップ部分３８の左右寸法Ｂ２より大きく設定した。こうした美容器具によれば、正面視における本体ケース２の外郭線の幅を、グリップ部分３８の下方からヘッド部分３７にわたって徐々に大きくできるので、片手でヘッド側ケース３のグリップ部分３８を握った状態において、本体ケース２が滑り落ちるのを確実に防止できる。
【００５２】
上記構成において、
本体ケース２の後面が内凹み状の湾曲面で形成されて、湾曲面に沿ってグリップ電極３４が設けてあることを特徴とする美容器具。
本体ケース２の後面の湾曲面に沿ってグリップ電極３４を設けると、本体ケース２を掴んだ状態において、手指あるいは掌が先の湾曲面に密着する状態で美容器具を確りと握り保持して、美容処理の途中に美容器具が手から滑り落ちるのをよく防止できる。また、湾曲面に沿って設けたグリップ電極３４に、指や掌を強く押付けることができるので、グリップ電極３４と人体の間の電気的な接触抵抗を小さくすることができる。
【００５３】
上記構成において、
肌電極１の左右寸法Ｂ１が、本体ケース２のヘッド部分３７の左右寸法Ｂ３より小さく設定してあることを特徴とする美容器具。
正面視における肌電極１の左右寸法Ｂ１を、本体ケース２のヘッド部分３７の左右寸法Ｂ３より小さく設定すると、肌電極１をヘッド部分３７の外郭線内に位置させることができる。従って、美容器具を取落した場合等に、肌電極１が落下衝撃を受けて変形するのをヘッド側ケース３で保護することができる。
【００５４】
（参考例３）  図２１および図２２は、美容器具の参考例３を示す。そこでは、参考例２の美容器具と同様に、本体ケース２をヘッド側ケース３とグリップ側ケース４で構成し、さらにヘッド側ケース３をヘッド支持ケース５とシートホルダー６で構成した。グリップ側ケース４は逆門型に形成した。また、グリップ側ケース４およびヘッド支持ケース５を、側面から見て垂直のケースとして構成し、シートホルダー６を側面から見て垂直のホルダーとして構成した。正面視におけるシートホルダー６の外郭形状と、グリップ側ケース４の外郭形状は同じとした。シートホルダー６は、図２２に示すように主壁１４の内面がヘッド支持ケース５の前面に接当した状態から前方へ相対傾動できる。２次電池８と制御基板は、ヘッド支持ケース５の内部に配置した。また、図示していないが、電源スイッチ９と、モード切換スイッチ１０と、パルス電流の強弱を表示する２個の表示部１１は、参考例２と同様に、グリップ側ケース４の前面に設けるようにした。
【００５５】
この参考例３ではグリップ側ケース４とヘッド支持ケース５の間にスライド構造を設けるようにした。図２１に示すように、ヘッド支持ケース５の左右側面にガイド凹部１８を形成し、凹部壁に設けた左右一対のガイド溝１９と、グリップ側ケース４に設けた丸軸状のスライド脚片３３でスライド構造を構成した。係合突起２０はシートホルダー６の周囲壁１５の内面に設け、係合溝２１はヘッド支持ケース５の左右壁に設けるようにした。グリップ側ケース４の周面と、同ケース４の前面の周縁に金属メッキを施して、グリップ電極３４を形成した。また、ガイド凹部１８の下部に連続して、前下り傾斜状のストッパー壁６５を形成した。
【００５６】
参考例３の美容器具は、本体ケース２を第１使用態様（図２２（ａ）に示す状態）と、第２使用態様（図２１に示す状態）と、第３使用態様（図２２（ｂ）に示す状態）のいずれかに切換えて美容処理を行う。第１使用態様においては、グリップ側ケース４の左右の枠部分がガイド凹部１８内に収容されて、前面から見たヘッド側ケース３の外郭線の内部に収まっている。第２使用態様においては、スライド脚片３３がガイド溝１９の下端で受け止められて、グリップ側ケース４がヘッド支持ケース５の下方へ直線状に突出している。第３使用態様においては、グリップ側ケース４が、スライド脚片３３を中心にして前側へ傾動して、その上部前縁がストッパー壁６５で受止められて、美容器具がく字状に屈折している。この状態の美容器具は、図８で説明した用法に従って使用することができる。
【００５７】
（参考例４）  図２３および図２４は、美容器具の参考例４を示す。そこでは、参考例２の美容器具と同様に、本体ケース２をヘッド側ケース３とグリップ側ケース４で構成し、さらにヘッド側ケース３をヘッド支持ケース５と前後傾動可能なシートホルダー６で構成した。グリップ側ケース４およびヘッド支持ケース５は、側面から見て垂直のケースとして構成し、シートホルダー６を側面から見て垂直のホルダーとして構成した。正面視におけるシートホルダー６の外郭形状と、グリップ側ケース４の外郭形状は同じとした。また、グリップ側ケース４を、上側のスライドケース４Ａと、下側のグリップケース４Ｂで構成して、これら両ケース４Ａ・４Ｂをケース回動軸６７で相対回転可能に連結した。２次電池８と制御基板は、グリップケース４Ｂの内部に配置した。また、図示していないが、電源スイッチ９と、モード切換スイッチ１０と、パルス電流の強弱を表示する２個の表示部１１は、実施例２と同様に、グリップケース４Ｂの前面に設けるようにした。グリップケース４Ｂの周面と、同ケース４Ｂの前面の周縁に金属メッキを施して、グリップ電極３４を形成した。また、グリップケース４Ｂの上部前隅には、前下り傾斜状のストッパー壁６５を形成した。
【００５８】
この参考例４ではスライドケース４Ａとヘッド支持ケース５の間にスライド構造を設けるようにした。図２３に示すように、スライド構造は、ヘッド支持ケース５の後面に形成した左右一対のガイド溝１９と、スライドケース４Ａに設けたスライド脚片３３で構成した。係合突起２０はシートホルダー６の周囲壁１５の内面に設け、係合溝２１はヘッド支持ケース５の左右壁に設けるようにした。
【００５９】
参考例４の美容器具は、本体ケース２を第１使用態様（図２４（ａ）に示す状態）と、第２使用態様（図２３に示す状態）と、第３使用態様（図２４（ｂ）に示す状態）のいずれかに切換えて美容処理を行う。第１使用態様においては、グリップ側ケース４の全体がヘッド支持ケース５の後面に密着して、前面から見たヘッド側ケース３の外郭線の内部に収まっている。第２使用態様においては、スライド脚片３３がガイド溝１９の下端で受け止められて、グリップケース４Ｂがヘッド支持ケース５の下方へ直線状に突出している。第３使用態様においては、グリップケース４Ｂが、ケース回動軸６７を中心にして前側へ傾動して、そのストッパー壁６５がスライドケース４Ａの下面で受止められて、美容器具がく字状に屈折している。この状態の美容器具は、図８で説明した用法に従って使用することができる。
【００６０】
上記の参考例、実施例では、肌刺激ヘッドが肌面に電流を供給する肌電極１である場合について説明したが、その必要はなく、肌刺激ヘッドは温熱または冷熱を付与する熱刺激ヘッドや、マッサージ器のように肌面に振動を付与する振動刺激ヘッドであってもよい。また、必要があれば肌面に対して複数の刺激を同時に付与する肌刺激ヘッドであってもよい。ヘッド側ケース３とグリップ側ケース４は、折畳みが可能な折尺と同様の構造で連結してあってもよい。
【符号の説明】
【００６１】
１    肌電極（肌刺激ヘッド）
２    本体ケース
３    ヘッド側ケース
４    グリップ側ケース
５    ヘッド支持ケース
６    シートホルダー
２５  ケース傾動軸
３４  グリップ電極
４８  マット保持具
４９  装着リング
５０  キャップ体
５１  コード部
Ｍ    含浸マット
【図１】
2018110894.tif 000003
【図２】
2018110894.tif 000004
【図３】
2018110894.tif 000005
【図４】
2018110894.tif 000006
【図５】
2018110894.tif 000007
【図６】
2018110894.tif 000008
【図７】
2018110894.tif 000009
【図８】
2018110894.tif 000010
【図９】
2018110894.tif 000011
【図１０】
2018110894.tif 000012
【図１１】
2018110894.tif 000013
【図１２】
2018110894.tif 000014
【図１３】
2018110894.tif 000015
【図１４】
2018110894.tif 000016
【図１５】
2018110894.tif 000017
【図１６】
2018110894.tif 000018
【図１７】
2018110894.tif 000019
【図１８】
2018110894.tif 000020
【図１９】
2018110894.tif 000021
【図２０】
2018110894.tif 000022
【図２１】
2018110894.tif 000023
【図２２】
2018110894.tif 000024
【図２３】
2018110894.tif 000025
【図２４】
2018110894.tif 000026
【図２５】
2018110894.tif 000027